(57)【要約】【課題】本発明は、視認性に優れたセキュリティカードを容易に製造でき、該セキュリティカードの製造時間の短縮化を図ることが可能なセキュリティカード用転写原版、および該セキュリティカード用転写原版を用いたセキュリティカードの製造方法の提供を主目的とする。【解決手段】本発明は、平面部およびレンチキュラーレンズ形成部を一方の面に有する金属基板と、上記金属基板の上記一方の面から反対面へ貫通する貫通孔と、を有し、上記レンチキュラーレンズ形成部が、ストライプ状に配置された複数の半円柱形レンズ転写部と、隣り合う上記半円柱形レンズ転写部の間に設けられた隔壁部と、を有することを特徴とするセキュリティカード用転写原版を提供することにより、上記目的を達成する。【選択図】図１
2015063035.tif 000002
【特許請求の範囲】
【請求項１】
平面部およびレンチキュラーレンズ形成部を一方の面に有する金属基板と、
前記金属基板の前記一方の面から反対面へ貫通する貫通孔と、を有し、
前記レンチキュラーレンズ形成部が、ストライプ状に配置された複数の半円柱形レンズ転写部と、隣り合う前記半円柱形レンズ転写部の間に設けられた隔壁部と、を有することを特徴とするセキュリティカード用転写原版。
【請求項２】
前記貫通孔の前記一方の面側における開口幅が、前記反対側の面における開口幅よりも大きいことを特徴とする、請求項１に記載のセキュリティカード用転写原版。
【請求項３】
前記貫通孔がセキュリティカードの表面に転写される領域内に配置されていることを特徴とする請求項１または請求項２に記載のセキュリティカード用転写原版。
【請求項４】
前記貫通孔がセキュリティカードの表面に転写される領域外に配置されていることを特徴とする請求項１または請求項２に記載のセキュリティカード用転写原版。
【請求項５】
平面部およびレンチキュラーレンズ形成部を一方の面に有する金属基板と、
前記金属基板の前記一方の面から反対面へ貫通する貫通孔と、を有し、
前記レンチキュラーレンズ形成部が、ストライプ状に配置された複数の半円柱形レンズ転写部と、隣り合う前記半円柱形レンズ転写部の間に設けられた隔壁部と、を有するセキュリティカード用転写原版を用い、
カード基材の一方の表面に積層されたシート基材に前記セキュリティカード用転写原版の前記一方の面を押し当てて、シート平坦部と、ストライプ状に配置された複数の半円柱形レンズ、および隣り合う前記半円柱形レンズの間に形成されたレンズ間溝部を有するレンチキュラーレンズと、を少なくとも有するレンチキュラーレンズシートを形成する転写工程と、
前記半円柱形レンズを介して前記カード基材に異なる少なくとも２方向からレーザー光を照射して、前記半円柱形レンズと平面視上に重なるように前記カード基材に画像部を形成する印字工程と、を有することを特徴とするセキュリティカードの製造方法。
【発明の詳細な説明】
【技術分野】
【０００１】
本発明は、視認性に優れたセキュリティカードを容易に製造でき、該セキュリティカードの製造時間の短縮化を図ることが可能なセキュリティカード用転写原版等に関する。
【背景技術】
【０００２】
身分証明証や各種会員証、クレジットカード等のセキュリティカード（以下、「カード」と略する場合がある。）において、カードの所有者とカード使用者との同一性を確認する、いわゆる個人識別機能として、カード表面に所有者の個人情報や写真等の画像が表示されたものが一般的に用いられている。また、近年では、これらの画像が改ざんおよび偽造されることを防止するために、画像表面に偽造防止機能を付与したセキュリティカードが用いられている。
【０００３】
偽造防止機能を付与する方法としては、例えば、セキュリティカードのカード基材上にレンチキュラーレンズを設ける方法がある。レンチキュラーレンズとは、断面が凸レンズ状であり側面が略半円柱の直線形状のレンズ（以下、「半円柱形レンズ」と称する。）の複数本が、平行で等間隔に配置された形状を有するものであり、凸レンズ状の断面を有する方向にのみにレンズの集光機能を有するものである。セキュリティカードにおいては、表示される個人情報等の画像上にレンチキュラーレンズを設けることにより、特定の観察角度からレンチキュラーレンズを介してカードを観察する際に、カード基材の有する画像部から観察角度に応じて表示される画像が選択されて目視することができるため、視認性の高いカードとすることができる（特許文献１〜３参照）。
【０００４】
上述のようなセキュリティカードを多品種小ロットで製造する場合においては、例えば、レンチキュラーレンズのみを金型ロールで別途形成した後に貼り付けることにより、カード表面上にレンチキュラーレンズを設ける方法等が用いられている。しかし、安価で簡単且つ精度良くレンチキュラーレンズ付きのセキュリティカードを製造することが可能な転写原版の製造方法については知られていなかった。
【先行技術文献】
【特許文献】
【０００５】
【特許文献１】特開平９−３１１２０４号公報
【特許文献２】特開２０００−２９８３１９号公報
【特許文献３】特開２００８−７７７１１号公報
【発明の概要】
【発明が解決しようとする課題】
【０００６】
本発明は、上記実情に鑑みてなされたものであり、視認性に優れたセキュリティカードを容易に製造でき、該セキュリティカードの製造時間の短縮化を図ることが可能なセキュリティカード用転写原版（以下、「カード用原版」と略する場合がある。）、および該カード用原版を用いたセキュリティカードの製造方法を提供することを主目的とする。
【課題を解決するための手段】
【０００７】
上記目的を達成するために、本発明は、平面部およびレンチキュラーレンズ形成部を一方の面に有する金属基板と、上記金属基板の上記一方の面から反対面へ貫通する貫通孔と、を有し、上記レンチキュラーレンズ形成部が、ストライプ状に配置された複数の半円柱形レンズ転写部と、隣り合う上記半円柱形レンズ転写部の間に設けられた隔壁部と、を有することを特徴とするカード用原版を提供する。
【０００８】
本発明によれば、貫通孔を有することにより、本発明のカード用原版を用いて熱転写を行う際に、上記貫通孔においてカード表面が外気と接するため放熱しやすくなる。これにより、転写後のカード全体の冷却速度を速めることができ、カードの製造時間を短縮できる。
また、上記貫通孔から脱気することができるため、本発明のカード用原版をカードに押し当てる際に生じる空気抵抗を低減すると共に、エア溜まりによりセキュリティカードの表面形状が損なわれる等の不具合の発生を防止することができる。
さらに、上記貫通孔により、カードは本発明のカード用原版と接しない領域を有することになるため、転写後のカードの離型性を向上させることが可能となる。
さらにまた、カード表面の所望の位置にレンチキュラーレンズ等を精度良く形成できるだけでなく、カードの平面部分を平滑にし、カード全体の厚さを均一にすることができるため、寸法精度の高いセキュリティカードを製造することができる。これにより、上記レンチキュラーレンズを介してカード内部の正確な位置に文字、記号、図柄等の情報を印字することができ、カードは観察角度に応じて異なる画像を明瞭に出現させることができる。
この様に、視認性の高いセキュリティカードの製造を、容易かつ短時間で行うことが可能なカード用原版とすることができる。
【０００９】
上記発明においては、上記貫通孔の上記一方の面側における開口幅が、上記反対側の面における開口幅よりも大きいことが好ましい。上記構造を有することで、貫通孔がテーパー形状となるため、本発明のカード用原版を用いてカードを製造する際に、カードの離型性をさらに向上させることができるからである。
【００１０】
上記発明においては、上記貫通孔がセキュリティカードの表面に転写される領域内に配置されていることが好ましい。本発明のカード用原版を用いてカードを製造する際に、カード表面に上記貫通孔の反転形状が形成され、上記反転形状を模様や文字等として用いることができるからである。
【００１１】
上記発明においては、上記貫通孔がセキュリティカードの表面に転写される領域外に配置されていることが好ましい。本発明のカード用原版を用いてカードを製造する際に、カード表面上に上記貫通孔の反転形状が形成されないので、カード表面の突起物の数を必要最小限とすることができるからである。
【００１２】
また、本発明は、平面部およびレンチキュラーレンズ形成部を一方の面に有する金属基板と、上記金属基板の上記一方の面から反対面へ貫通する貫通孔と、を有し、上記レンチキュラーレンズ形成部が、ストライプ状に配置された複数の半円柱形レンズ転写部と、隣り合う上記半円柱形レンズ転写部の間に設けられた隔壁部と、を有するカード用原版を用い、カード基材の一方の表面に積層されたシート基材に上記カード用原版の上記一方の面を押し当てて、シート平坦部と、ストライプ状に配置された複数の半円柱形レンズ、および隣り合う上記半円柱形レンズの間に形成されたレンズ間溝部を有するレンチキュラーレンズと、を少なくとも有するレンチキュラーレンズシートを形成する転写工程と、上記半円柱形レンズを介して上記カード基材に異なる少なくとも２方向からレーザー光を照射して、上記半円柱形レンズと平面視上に重なるように上記カード基材に画像部を形成する印字工程と、を有することを特徴とするセキュリティカードの製造方法を提供する。
【００１３】
本発明によれば、カード用原版に貫通孔が設けられており、転写後にカード全体を冷却する際にシート基材が貫通孔において直接外気に触れるため、シート基材の熱を放熱し易くなる。これにより、カード全体の冷却速度を速めることでき、冷却時間の短縮化が図れる。
また、カード用原版をシート基材上に押し当てる際に受ける空気の一部を上記貫通孔から脱気することができるため、転写時にかかる空気抵抗の軽減を図ることができる。これにより、得られるレンチキュラーレンズシートにエア溜まりによる形状の不具合等が生じることを防止できる。
さらに、カード用原版が貫通孔を有することにより、シート基材はカード用原版と接していない領域を有することになるため、冷却後にシート基材を容易に離型することが可能となる。
さらにまた、上述の構造を有するカード用原版を用いることにより、均一なカード厚さを有し、寸法精度および配置精度の高いレンチキュラーレンズと、高い平滑性を有するシート平坦部とを有するセキュリティカードを一括で製造することができる。これにより、印字工程において、半円柱形レンズと平面視上に重なる位置に正確に印字することができ、レンチキュラーレンズを介して視認される画像部の情報を明瞭に表示することができる。
この様に、寸法精度が高く、視認性に優れたセキュリティカードを容易かつ短時間で製造することが可能となる。
【発明の効果】
【００１４】
本発明においては、視認性に優れたセキュリティカードを容易に製造でき、当該カードの製造時間の短縮化を図ることが可能なカード用原版、および該カード用原版を用いたセキュリティカードの製造方法を提供することができるという効果を奏する。
【図面の簡単な説明】
【００１５】
【図１】本発明のセキュリティカード用転写原版の一例を示す概略平面図である。
【図２】図１のＸ−Ｘ線断面図である。
【図３】図１のＸ−Ｘ線断面におけるレンチキュラーレンズ形成部の一例を示す概略断面図である。
【図４】図１のＸ−Ｘ線断面における隔壁部の形状を説明するための概略断面図である。
【図５】本発明のセキュリティカード用転写原版の面付け態様を説明するための概略平面図である。
【図６】本発明のセキュリティカードの製造方法の一例を示す工程図である。
【図７】本発明により得られるセキュリティカードの一例を示す概略平面図である。
【図８】図７のＸ−Ｘ線断面図である。
【図９】本発明により得られるセキュリティカードの他の例を示す概略断面図である。
【図１０】本発明により得られるセキュリティカードにおける、観察角度と視認される画像部との関係を示す説明図である。
【発明を実施するための形態】
【００１６】
以下、本発明のカード用原版、およびセキュリティカードの製造方法について、順に説明する。
【００１７】
Ａ．セキュリティカード用転写原版（カード用原版）
まず、本発明のカード用原版について説明する。本発明のカード用原版は、平面部およびレンチキュラーレンズ形成部を一方の面に有する金属基板と、上記金属基板の上記一方の面から反対面へ貫通する貫通孔と、を有し、上記レンチキュラーレンズ形成部が、ストライプ状に配置された複数の半円柱形レンズ転写部と、隣り合う上記半円柱形レンズ転写部の間に設けられた隔壁部と、を有することを特徴とするものである。
【００１８】
本発明のカード用原版について、図を例示して説明する。図１は本発明のカード用原版の一例を示す概略平面図であり、図２は図１のＸ−Ｘ線断面図である。図１において、Ｘ方向を短手方向、Ｙ方向を長手方向とする。
図１および図２に示すように、本発明のカード用原版１０は、レンチキュラーレンズ形成部３および平面部６が一方の面上に形成された金属基板１と、金属基板１の一方の面から反対面へ貫通する貫通孔２とを有するものである。また、レンチキュラーレンズ形成部３は、ストライプ状に配置された複数の半円柱形レンズ転写部４と、隣り合う半円柱形レンズ転写部４の間に設けられた隔壁部５とを有するものである。なお、複数の半円柱形レンズ転写部４は等間隔で平行に配置されている。
【００１９】
本発明によれば、金属基板を貫通する貫通孔を有することにより、本発明のカード用原版を用いて熱転写を行う際に、上記貫通孔においてカード表面が外気と接するため放熱しやすくなる。このため、転写後のカード全体の冷却速度を速めることができ、カードの製造時間を短縮できる。
また、上記貫通孔から脱気することができるため、本発明のカード用原版をカードに押し当てる際に生じる空気抵抗を低減すると共に、エア溜まり等によりセキュリティカードの表面形状が損なわれる等の不具合の発生を防止することができる。
さらに、上記貫通孔を有することにより、転写後のカードの離型性を向上させることも可能となる。セキュリティカードの表面に光沢性を付与するために、表面に光沢を有するカード用原版を用いる場合があるが、転写後にカードが剥がれにくいといった問題があった。これはカード用原版の表面とカード表面との接触面積が大きいことに起因するものと推量される。本発明では、貫通孔の部分がカード表面と接しておらず接触面積が減少するため、カード用原版の表面が光沢性を有していても、転写後にカードを容易に剥がすことが可能となる。これにより、カードの離型性の向上とともに、得られるカードの表面を光沢性を有するものとすることができる。
この様に、本発明のカード用原版により、セキュリティカードの製造を容易かつ短時間で行うことが可能となる。
【００２０】
また、本発明によれば、カード用原版が上述の構造を有することにより、高い寸法精度を有するセキュリティカードを一括形成することができる。すなわち、本発明のカード用原版を使用することにより、カード表面の所望の位置にレンチキュラーレンズの形状を精度良く形成することができるだけでなく、カードの平面部分を平滑にすることができる。さらに、カード全体の厚さの均一化を図ることができるため、カードとして高い寸法精度を有することができる。
上記レンチキュラーレンズを構成する半円柱形レンズを介してカードに文字、記号、図柄等の情報を印字する場合においても、上記レンチキュラーレンズが所望の位置に精度良く形成されていることから、正確な位置に印字することができる。このため、カードは観察角度に応じてレンチキュラーレンズを介して異なる画像を明瞭に出現させることができる。
この様に、本発明のカード用原版により、寸法精度が高く、視認性に優れたセキュリティカードを簡単且つ安価で製造することが可能となる。
【００２１】
以下、本発明のカード用原版の構成について説明する。
【００２２】
１．金属基板
本発明における金属基板は、一方の面上に平面部およびレンチキュラーレンズ形成部を有するものであり、また、上記一方の面から反対面へ貫通する貫通孔を有するものである。
【００２３】
金属基板は、単一の金属から形成される単層構造であることが好ましい。金属基板の表面上にめっき等が施された多層構造である場合、転写する際に半円柱形レンズ転写部に応力が集中してかかりやすく、レンチキュラーレンズ形成部のめっき等が金属基板から剥離する場合があるからである。
金属基板に用いられる金属の種類としては、特に限定されるものではないが、ステンレス鋼、鉄、銅、アルミニウム、チタン、チタン合金、ニッケル、ニッケル合金、ニオブ、タンタル、ジルコニウム、コバルト合金、クロム合金、モリブデン合金、タングステン合金等が好ましく、中でもステンレス鋼が好ましい。金属の中で耐久性に優れており、エッチング等の加工がしやすく安価だからである。
【００２４】
金属基板の厚さとしては、カード用原版の厚さをその範囲に含む０．０５ｍｍ〜５ｍｍの範囲内の大きさであることが好ましい。その理由については、以下の通りである。
本発明のカード原版の製造方法として、例えば、金属基板にフォトリソグラフィによるパターニングを行い、その後エッチング加工を行う方法を用いる場合、その過程において金属基板にマスクを介して紫外線等の露光を行うことによりパターンを複製する。このとき、金属基板とマスクとの真空密着を行うことにより安定したパターニングが得られることが必要である。そこで、金属基板の厚さを上記範囲内とすることにより、真空密着を安定的に行うことが可能となる。一方、金属基板の厚さが上記範囲より薄いと、カードの製造の際に本発明のカード用原版が変形しやすく、耐久性が不足する場合がある。
なお、金属基板の大きさ（面積）としては、所望のセキュリティカードの大きさに応じて適宜設定することができる。
【００２５】
２．貫通孔
本発明における貫通孔は、金属基板の平面部およびレンチキュラーレンズ形成部を有する一方の面から反対面へ貫通するものである。
【００２６】
貫通孔の平面形状としては、所望の面積を有する形状であれば特に限定されるものではないが、例えば、円形状、半円形状、楕円形状、長方形等の多角形状とすることができる。また、文字、絵柄等の形状を有するものであってもよい。
なお、貫通孔の平面形状とは、金属基板のレンチキュラーレンズ形成部等を有する面の反対面上に有する開口（以下、下開口と称する場合がある。）の平面形状を少なくともいう。また、金属基板のレンチキュラーレンズ形成部等を有する面に有する開口（以下、上開口と称する場合がある。）の平面形状は、下開口の平面形状と同じであってもよく、異なる形状であってもよい。なお、貫通孔における下開口とは図２においてＰで示す部分である。
【００２７】
図１のＸ−Ｘ線断面から見た貫通孔の断面形状としては、特に限定されるものではなく、貫通孔の形成方法により適宜設計することができ、例えば、四角形、台形、テーパー形状等であってもよい。また、図２で示すように、貫通孔２の側面の一部が曲率を有する形状であってもよく、側面に段差を有するものであってもよい。
【００２８】
貫通孔の幅としては、セキュリティカードの製造の際に、放熱効果、エア抜き効果が十分に得られ、カードが離型しやすくなる大きさであることが好ましく、中でも、カードの表面が外気と十分に接することが可能な大きさであることが好ましい。具体的には、上記幅が７０μｍ〜８０００μｍ程度であることが好ましい。なお、貫通孔の幅とは、図２においてｗで示す部分であり、下開口の最も長い部分の幅、また下開口の形状が円形であるときはその直径をいう。
【００２９】
また、貫通孔は、金属基板の平面部およびレンチキュラーレンズ形成部を有する面側における開口幅、すなわち上開口の幅が、反対側の面における開口幅、すなわち下開口の幅よりも大きいことが好ましい。上記構造を有することで、貫通孔がテーパー形状となるため、本発明のカード用原版を用いてセキュリティカードを製造する際に、カードの離型性をさらに向上させることが可能となるからである。
具体的には、貫通孔において上開口の幅と下開口の幅との比が、上開口の幅：下開口の幅＝１：１〜８：１の範囲内であることが好ましく、中でも２：１〜６：１の範囲内であることが好ましい。なお上開口の幅とは、上開口の最も長い部分の幅、または直径をいう。
【００３０】
貫通孔の幅は、光干渉式表面形状測定装置（例えば、菱化システム社製ＶｅｒｔＳｃａｎ２．０、Ｖｅｅｃｏ社製Ｗｙｋｏ  ＮＴ９０００シリーズ等）を用いて、非接触法により測定することができる。具体的には、光干渉式表面形状測定装置の測定ステージ上に本発明のカード用原版の貫通孔を測定ヘッドに向けて載置し、上記貫通孔の表面形状データを３次元座標データの集合の形式で非接触に取得し、上記表面形状データを元に算出することができる。
なお、以下の説明における各部位の寸法等についても、特段の記載が無い限り、各構成を測定ヘッドに向けて載置し、上述の方法を用いて測定されたものとする。
【００３１】
また、貫通孔は金属基板の一方の面に対して所望の割合を占めることが好ましい。金属基板の一方の面の面積を１００％としたときの貫通孔の面積占有率は、１％〜１０％の範囲内、中でも１％〜８％の範囲内、特に１％〜５％の範囲内であることが好ましい。
金属基板の一方の面に対する貫通孔の面積占有率が上記範囲を満たないと、本発明のカード用原版を用いてカードを製造する際に、カード表面が外気と十分に接することができず、冷却速度の向上が図れない、エア抜きが十分に行えない、離型性が向上されない等の不具合が生じる場合がある。一方、貫通孔の面積占有率が上記範囲以上となると、得られるカードの平面部の有効面積が減少する場合がある。
なお、貫通孔の面積とは、金属基板のレンチキュラーレンズ形成部を有する面の反対面上にある開口（下開口）の面積をいい、貫通孔が複数ある場合は下開口の総面積をいう。
【００３２】
貫通孔の数は１つであってもよく複数を有していてもよい。複数有することにより、本発明のカード用原版を用いてカードを製造する際にカード表面と外気との接触領域が増えるため、カード全体の冷却速度を速めることができる。また、エア抜きができる箇所が増えるため、カード用原版を押し付ける際の空気抵抗を低減することができる。さらに、カード表面とカード用原版との接触面積が減るため、カードの離型が容易になる。
【００３３】
また、図１および図２に示すように、上開口の中心点（或いは重心点）の位置と下開口の中心点（或いは重心点）の位置とが平面視上一致していてもよく、一致していなくてもよい。
【００３４】
貫通孔の形成位置としては、レンチキュラーレンズ形成部と重ならない領域であれば特に限定されるものではない。
また、貫通孔の配置については、本発明のカード用原版の面付け態様等によって適宜設定することができる。具体的には、後述する「５．セキュリティカード用転写原版」の項で説明するため、ここでの説明は省略する。
【００３５】
３．レンチキュラーレンズ形成部
本発明におけるレンチキュラーレンズ形成部は、金属基板の一方の面上に設けられ、ストライプ状に配置された複数の半円柱形レンズ転写部と、隣り合う上記半円柱形レンズ転写部の間に設けられた隔壁部と、を有するものである。
【００３６】
図３は、図１のＸ−Ｘ線断面におけるレンチキュラーレンズ形成部の一例を示す概略断面図であり、図中の符号については図１および図２と同様であるため、ここでの説明は省略する。
レンチキュラーレンズ形成部は、金属基板の表面が半円柱形レンズ転写部および隔壁部の形状に成形されてなるものである。
以下、レンチキュラーレンズ部の各部位について説明する。
【００３７】
（１）半円柱形レンズ転写部
半円柱形レンズ転写部は、金属基板の一方の面にストライプ状に配置されるものである。上記半円柱形レンズ転写部は、本発明のカード用原版を用いてセキュリティカードを製造する際に、半円柱形レンズを転写形成する部分である。
【００３８】
半円柱形レンズ転写部の幅は、２０μｍ〜２００μｍの範囲内であることが好ましく、中でも４０μｍ〜１２０μｍの範囲内であることが好ましく、特に５０μｍ〜７０μｍの範囲内であることが好ましい。半円柱形レンズ転写部の幅が上記範囲よりも大きいと、例えば本発明のカード用原版をエッチング法により形成する場合、半円柱形レンズ転写部の高さが相対的に大きくなるため、上記カード用原版により転写形成される半円柱形レンズの厚さも大きくなる。このため、得られるカード厚さが規格で規定される範囲を超える場合がある。一方、上記範囲よりも小さいと、上述の方法により形成する場合に、フォトリソグラフィによるパターニングに際して解像度の安定性が確保できず形状のばらつきが大きくなる可能性がある。そのため、転写形成される半円柱形レンズの形状もばらつき、所望の光学性能が得られない場合がある。
【００３９】
半円柱形レンズ転写部の幅とは短手方向の長さをいい、図３においてＸ１で示される部分をいう。また、半円柱形レンズ転写部と隔壁部とが連続した形状で半円柱形レンズ転写部を区分する位置が明確でない場合は、非接触法の測定により作成されたグラフにおいて半円柱形レンズ転写部と隔壁部とが形成する曲面の変曲点を特定し、上記変曲点における短手方向の長さを半円柱形レンズ転写部の幅とする。すなわち、対象曲面において半円柱形レンズ転写部と隔壁部との短手方向の断面が形成する曲線の曲率の符号が変化する点の位置を変曲点とする。ここで、短手方向の断面が形成する曲線から曲率を算出する一つの方法としては、上記曲線を微小区間に分け、曲率を算出する微小区間における上記曲線を構成する測定データに対し最小二乗法を用いて円弧を当てはめ、得られた円弧の半径から曲率を得る方法等が用いられる。
【００４０】
また、半円柱形レンズ転写部はピッチ幅が小さいことが好ましく、例えば、３０μｍ〜２００μｍの範囲内、中でも５０μｍ〜１３０μｍの範囲内、特に６０μｍ〜１００μｍの範囲内であることが好ましい。半円柱形レンズ転写部のピッチ幅が上記範囲よりも大きいと、半円柱形レンズ転写部の配置間隔が大きくなるため、カード表面に転写形成される半円柱形レンズの配置間隔も大きくなる。そのため、カード上のレンチキュラーレンズにおいて個々の半円柱形レンズが視覚的に目立つようになり、外観上好ましくない場合がある。一方、上記範囲よりも小さいと、半円柱形レンズ転写部の幅も小さくなってしまい、レンチキュラーレンズを転写形成する際にレンズ形状が欠損してしまう場合がある。
半円柱形レンズ転写部のピッチ幅とは、隣り合う半円柱形レンズ転写部の中心間の距離をいい、図３においてＸ２で示される部分をいう。
【００４１】
半円柱形レンズ転写部は、底部に所望の曲率を有することが好ましい。上記半円柱形レンズ転写部の底部の曲率半径（以下、「半円柱形レンズ転写部の曲率半径」と略する場合がある。）としては、１０μｍ〜１００μｍの範囲内であることが好ましく、中でも３０μｍ〜９０μｍの範囲内であることが好ましく、特に５０μｍ〜８０μｍの範囲内であることが好ましい。
半円柱形レンズ転写部の曲率半径が上記範囲よりも小さいと、転写形成される半円柱形レンズの曲率半径も小さいものとなるため、カード製造時に半円柱形レンズを介してレーザー照射等による印字を行う場合に、透過したレーザー光がカードの所望の位置に達する前に焦点を有することとなり、印字が行えない可能性がある。一方、半円柱形レンズ転写部の曲率半径が上記範囲よりも大きいと、転写形成される半円柱形レンズの曲率半径も大きいものとなるため、上述の方法で印字を行う場合に、半円柱形レンズを透過したレーザー光がカードの所望の位置を越えて焦点を有することとなり、印字が行えない可能性がある。
半円柱形レンズ転写部の底部の曲率半径とは、図３においてＲ１で示される部分をいう。
【００４２】
半円柱形レンズ転写部の深さとしては、５μｍ〜１００μｍの範囲内であることが好ましく、中でも７μｍ〜６０μｍの範囲内であることが好ましく、特に、１０μｍ〜５０μｍの範囲内であることが好ましい。
半円柱形レンズ転写部の深さが上記範囲よりも大きいと、セキュリティカードを製造する際に、形成されるレンチキュラーレンズの厚さも大きくなり、規格で決められたカード厚さを超えてしまう可能性がある。また、レーザー照射によりカードへの印字を行う場合、半円柱形レンズを透過したレーザー光が所望の位置に達する前に焦点を有することとなり、印字が行えない可能性がある。一方、上記範囲よりも小さいと、転写形成されるレンチキュラーレンズが所望の厚さとならず、画像情報の表示を切り替えるレンズとしての機能を十分発揮できない場合がある。また、上述の方法で印字を行う場合、半円柱形レンズを透過したレーザー光は所望の位置を越えて焦点を有することとなり、印字が行えない可能性がある。
半円柱形レンズ転写部の深さとは、半円柱形レンズ転写部の最下部から隔壁部の最頂部までの長さをいい、図３においてＴ２で示される部分をいう。
【００４３】
半円柱形レンズ転写部の本数としては適宜選択することができる。また、半円柱形レンズ転写部の長手方向の長さとしては特に限定されるものではなく、金属基板の大きさおよびレンチキュラーレンズの大きさに応じて適宜選択されるものである。
【００４４】
（２）隔壁部
隔壁部は、隣り合う半円柱形レンズ転写部の間に設けられたものである。その数は半円柱形レンズ転写部の数に応じて決まる。
【００４５】
隔壁部の形状は、所望の幅、高さ等を有するものであれば特に限定されるものではない。隔壁部の断面形状としては、図４（ａ）で示すように、通常、隔壁部の側面が直角を成す形状であるが、図４（ｂ）および（ｃ）で示されるように鈍角を成す形状（テーパー形状）であってもよい。隔壁部の両側面がなす角度（図４（ｂ）および（ｃ）中のθ）としては、５°〜１２０°の範囲内が好ましく、中でも１０°〜９０°の範囲内が好ましく、特に１５°〜４５°の範囲内が好ましい。本発明のカード用原版を用いてセキュリティカードを製造する際に、カード用原版からカードが離型しやすくなるからである。なお、図４は図１のＸ−Ｘ線断面における隔壁部の形状を説明するための概略断面図であり、図中の符号については図１および図２のものと同様であるため説明を省略する。
【００４６】
隔壁部の頂部の幅は小さいことが好ましい。隔壁部は、セキュリティカードを製造する際に、隣り合う半円柱形レンズ間の溝部（レンズ間溝部）を形成する部位である。レンズ間溝部の大きさによっては、所望の角度からレンチキュラーレンズを介して観察した際に、図１０（ｄ）で例示されるように、表示される画像上に表示すべき画像情報以外の不要な画像が線状に出現し（以下、線状に出現する不要な画像を「線状ノイズ」と称する場合がある。）、表示すべき画像が不鮮明な像として観察される場合がある。
なお、線状ノイズ等が出現する現象、および上記現象が生じる要因については、「Ｂ．セキュリティカードの製造方法」の項で説明するため、ここでの説明は省略する。
【００４７】
上記現象の発生を防止するため、隔壁部の頂部の幅は小さくすることが好ましく、具体的には５μｍ〜２０μｍの範囲内、中でも５μｍ〜１５μｍの範囲内、特に５μｍ〜１０μｍの範囲内でとすることが好ましい。
隔壁部の頂部の幅が上記範囲よりも小さいと、隔壁部の決壊により半円柱形レンズ転写部の深さにばらつきが生じるため、転写形成される半円柱形レンズおよびレンチキュラーレンズがレンズとしての機能を有さない場合がある。一方、上記範囲よりも大きいと、転写形成されるレンズ間溝部の底幅が大きくなるため、所定の角度からカードを観察した際に、レンチキュラーレンズを介して表示される画像上に線状ノイズ等が出現されやすくなる場合がある。
隔壁部の頂部の幅とは、隔壁部の頂部に有する面のうち短手方向の長さをいい、図３および図４においてＸ３で示される部分をいう。
【００４８】
隔壁部の頂部の幅の測定箇所については、金属基板の表面に対して隔壁部の側面が直角を成す形状である場合は、上記側面間の距離を隔壁部の幅とする。また、金属基板の表面に対して隔壁部の側面が鈍角を成す場合は、上記隔壁部の頂部に有する平面における短手方向の長さを隔壁部の幅とする。さらに、図４（ｃ）で示すように、隔壁部の頂部が曲面を有し、半円柱形レンズ転写部と隔壁部の頂部の曲面とが連続した形状であるため隔壁部の頂部の曲面の区分される位置が明確でない場合は、非接触法の測定により作成されたグラフにおいて近似直線を描き、半円柱形レンズ転写部と隔壁部の頂部の曲面とが形成する曲面の変曲点を特定し、上記変曲点における隔壁部の短手方向の長さを隔壁部の幅とする。変曲点の特定については、上述した半円柱形レンズ転写部の項で説明したものと同様である。
【００４９】
隔壁部の頂部は曲率を有することが好ましい。隔壁部の頂部が曲率を有することにより、セキュリティカードを製造する際にカードが離型しやすくなるからである。また、得られるカードにおいて、レンチキュラーレンズを介して視認される画像上の線状ノイズ等をより目立たなくすることができるからである。
隔壁部の頂部の曲率半径としては、２．５μｍ〜１０．０μｍの範囲内であることが好ましく、中でも２．５μｍ〜７．５μｍの範囲内であることが好ましく、特に２．５μｍ〜５．０μｍの範囲内であることが好ましい。隔壁部の頂部の曲率半径とは、図４（ｃ）においてＲ２で示される部分をいう。
【００５０】
隔壁部の高さは、半円柱形レンズ転写部の深さと同様である。また、隔壁部の最頂部は平面部と同じ高さにあることが好ましい。すなわち、本発明のカード用原版の底面から隔壁部の最長部までの高さが、カード用原版の厚さと同じであることが好ましい。
なお、最頂部とは、例えば上記隔壁部の頂部が曲率を有する場合に、湾曲した面のうち最も高い位置をいう。
【００５１】
４．平面部 
本発明における平面部は、金属基板の一方の表面上に設けられるものであり、レンチキュラーレンズ形成部を有さない領域をいう。
【００５２】
平面部は、文字図柄転写部を有していてもよい。文字図柄転写部とは、凹凸で表現された文字、記号、図柄等の画像情報を有するものである。文字図柄転写部により、本発明のカード用原版を用いて製造されるセキュリティカードの表面上に、レンチキュラーレンズを介して表示される画像とは異なる画像を形成することができ、カードのセキュリティ性や意匠性を向上させることができる。
文字図柄転写部における文字や図柄等の線幅は、８０μｍ〜５００μｍ程度であることが好ましく、その大きさとしては特に限定されるものではなく、目的とするカードの大きさ等に応じて適宜設定することができる。なお、平面部上の文字図柄転写部の個数は、１つであってもよく複数あってもよい。
【００５３】
５．セキュリティカード用転写原版（カード用原版）
本発明のカード用原版の厚さは、上述した金属基板の厚さに応じて適宜設定されるものであるが、例えば０．０５ｍｍ〜５ｍｍの範囲内が好ましく、中でも０．２ｍｍ〜１ｍｍの範囲内が好ましい。カード用原版の厚さとして上記範囲内が好適である理由については、「１．金属基板」の項で説明した理由と同様である。なお、カード用原版の厚さとは、カード用原版の底面から平面部までの高さを言う。
【００５４】
また、カード用原版は、その表面が平滑であることが好ましく、中でも光沢面であることが好ましい。表面を光沢面とすることにより、本発明のカード用原版を用いて製造されるセキュリティカードの表面に光沢性を付与することができるからである。カード用原版の十点平均表面粗度（Ｒｚ）としては、０．０５μｍ〜１．５μｍの範囲内であることが好ましく、中でも０．１μｍ〜０．５μｍの範囲内であることが好ましい。
なお、十点平均表面粗度は光干渉式の非接触表面粗さ計（菱化システム（株）製のバートスキャンＲ３３００Ｈ  Ｌｉｔｅ）を使い、プロファイル範囲を＋／−５ミクロンとして測定された値である。
光沢の程度としては、＃４００以上の砥粒で研磨したときの光沢を有することが好ましい。
【００５５】
本発明のカード用原版において、レンチキュラーレンズ形成部の占める面積の割合は、上記カード用原版の一方の表面の面積を１００％としたときに、１％〜３０％程度の割合を占めることが好ましい。また、上記カード用原版におけるレンチキュラーレンズ形成部の数は、１つでもよく複数あってもよい。
【００５６】
本発明のカード用原版における貫通孔の数は、少なくとも１つ以上あればよく特に限定されない。また、貫通孔の配置位置は、上記カード用原版の面付けに応じて適宜選択することができる。
図５は、本発明のカード用原版の面付け態様を説明するための概略平面図である。図５において、半円柱形レンズ転写部および隔壁部の図示は省略し、符号については図１および図２のものと同様とする。また、図５において２点鎖線で囲まれる領域は、本発明のカード用原版を用いてセキュリティカードを製造した際にカード表面に転写される領域Ａ（以下、「有効転写領域Ａ」と称する場合がある。）である。上記カード用原版の有効転写領域以外の領域はカード表面には転写されない。
以下、貫通孔の配置位置について、上記カード用原版が１面付け態様の場合と多面付け態様の場合とに分けて説明する。
【００５７】
（１）１面付け態様の場合
本態様のカード用原版は、図５（ａ）および（ｂ）で示すように、金属基板１上にレンチキュラーレンズ形成部３を１つ有することにより、１回の製造でカード用原版１枚につき、１枚のセキュリティカードを製造することができる。また、図示しないが、レンチキュラーレンズ形成部を複数有する１面付け態様とすることも可能である。すなわち、１回の製造でカード用原版１枚につき、複数個のレンチキュラーレンズが形成された１枚のセキュリティカードを製造することもできる。
本態様において、貫通孔２は有効転写領域Ａ内に形成されてもよく（図５（ａ））、有効転写領域域Ａの外に形成されてもよい（図５（ｂ））。有効転写領域内に貫通孔が形成される場合、カード製造時に貫通孔の反転形状もセキュリティカードの表面に形成することができ、上記反転形状を模様や文字等として用いることができる。一方、有効転写領域外に貫通孔が形成される場合、カード製造時にカード表面上に上記貫通孔の反転形状が形成されないので、カード表面の突起物の数を必要最小限とすることができる。
【００５８】
（２）多面付け態様の場合
本態様のカード用原版は、図５（ｃ）〜（ｅ）で示すように、金属基板１上に複数のレンチキュラーレンズ形成部３ａ〜３ｃ有することにより、１回の製造でカード用原版１枚につき、複数枚のセキュリティカードを製造することができる。
本態様において、貫通孔２ａ〜２ｃは有効転写領域Ａ内に形成されてもよく（図５（ｃ））、有効転写領域Ａの外に形成されてもよい（図５（ｄ）および（ｅ））。また、図５（ｃ）および（ｄ）で示すようにレンチキュラーレンズ形成部３ａ〜３ｃにそれぞれ対応する貫通孔２ａ〜２ｃを有していてもよく、図５（ｅ）で示すように複数のレンチキュラーレンズ形成部３ａ〜３ｃに対して１つの貫通孔２を有するものであってもよい。
なお、有効転写領域内に貫通孔が形成される場合、および有効転写領域外に貫通孔が形成される場合の本発明のカード用原版の効果については、上述した「（１）１面付け態様の場合」で説明した効果と同様であるため、ここでの説明は省略する。
【００５９】
６．製造方法
本発明のカード用原版の製造方法としては、金属基板の一方の面上にレンチキュラーレンズ形成部を形成し、上記一方の面から反対面へ貫通する貫通孔を形成できる方法であれば特に限定されるものではないが、中でもエッチング法を用いることが好ましい。金属基板の表面を直接エッチングすることで、レンチキュラーレンズ形成部および貫通孔を一括で形成することができ、容易でかつ安価にカード用原版を製造することができる。また、レーザー法等では、レーザー照射跡の残存や溶融物の飛散等により表面の平滑性が損なわれやすいが、エッチング法では上記不具合が生じにくいため、レンチキュラーレンズ形成部等の寸法精度および配置精度を高いものとすることが可能である。
貫通孔については、エッチング法のみにより形成してもよく、上記一方の面側からエッチング法を用いて上開口を含む溝部を形成し、その後に機械加工により下開口を形成してもよい。
【００６０】
エッチング法を用いたカード用原版の製造方法としては、例えば、金属基板の一方の面上に、半円柱形レンズ転写部を形成するための開口と、および貫通孔を形成するための開口が所望の位置となるようにパターニングされたレジスト層を成膜し、ウェットエッチング等により金属基板をエッチングする方法が挙げられる。
このとき、使用する金属基板の厚さが小さければ、金属基板を貫通するまでエッチングを行うことで貫通孔を形成することができる。一方、金属基板の厚さが大きい場合は、まず、金属基板の一方の面において所望の深さまでエッチングして上開口を形成した後に、反対面からドリル等を用いて打ち抜き、くり抜き、型押し等の機械加工を行い、下開口を開けることにより貫通させることができる。
【００６１】
Ｂ．セキュリティカードの製造方法
本発明のセキュリティカードの製造方法は、平面部およびレンチキュラーレンズ形成部を一方の面に有する金属基板と、上記金属基板の上記一方の面から反対面へ貫通する貫通孔と、を有し、上記レンチキュラーレンズ形成部が、ストライプ状に配置された複数の半円柱形レンズ転写部と、隣り合う上記半円柱形レンズ転写部の間に設けられた隔壁部と、を有するカード用原版を用い、カード基材の一方の表面に積層されたシート基材に上記カード用原版の上記一方の面を押し当てて、シート平坦部と、ストライプ状に配置された複数の半円柱形レンズ、および隣り合う上記半円柱形レンズの間に形成されたレンズ間溝部を有するレンチキュラーレンズと、を少なくとも有するレンチキュラーレンズシートを形成する転写工程と、上記半円柱形レンズを介して上記カード基材に異なる少なくとも２方向からレーザー光を照射して、上記半円柱形レンズと平面視上に重なるように上記カード基材に画像部を形成する印字工程と、を有することを特徴とするものである。
【００６２】
本発明のセキュリティカードの製造方法について、図を参照して説明する。図６は本発明のセキュリティカードの製造方法の一例を示す工程図である。図６（ｂ）および（ｃ）において、カード用原版の各部位の符号は省略する。
まず、上述した「Ａ．カード用原版」の項で説明したカード用原版１０を準備する。カード用原版１０のレンチキュラーレンズ形成部３、平面部６および貫通孔２を有する面が転写面となる。また、図６で示すカード用原版１０において、貫通孔２は有効転写領域Ａの外に配置される。
次に、転写工程として、カード基材２１ａの一方の表面にシート基材２２ａを積層させ（図６（ａ））、シート基材２２ａ側にカード用原版１０の転写面が位置するようにしてプレス盤Ｑに配置し、加熱および加圧Ｈをしながらシート基材２２ａにカード用原版１０の転写面を押し当てる（図６（ｂ））。プレス盤Ｑを解放後、カード用原版１０を押し当てた状態でシート基材２２ａおよびカード基材２１ａを冷却Ｃする（図６（ｃ））。
冷却後、カード用原版１０を剥離し（図６（ｄ））、カード表面となる領域Ｂ（以下、カード有効領域Ｂとする。）を切り出すことで、カード基材２１ａ上にレンチキュラーレンズ２５およびシート平坦部２６を有するレンチキュラーレンズシートが形成される。レンチキュラーレンズ２５は、ストライプ状に配置された複数の半円柱形レンズ２３、および半円柱形レンズ２３の間に形成されたレンズ間溝部２４を有する。
このとき、貫通孔２の反転形状（以下、貫通孔反転部と称する場合がある。）２８もシート基材２２ａ上に形成されるが、上記貫通孔反転部２８はカード有効領域Ｂ内にないため、カード有効領域を切り出す際に貫通孔反転部は除かれ、レンチキュラーレンズシート上には貫通孔反転部を有さないものとなる。
次に印字工程として、カード基材２１ａおよびレンチキュラーレンズシート２２において、カード基材２１ａに対して半円柱形レンズ２３を介してレーザー光Ｚ１およびＺ２を照射する（図６（ｅ））。これにより、カード基材２１ａに含有される発色材料が炭化され、文字や数字等の画像部２７（画像部２７ａおよび画像部２７ｂを構成要素として含む。）が、カード基材２１上の半円柱形レンズ２３と平面視上に重なる位置に形成され、所望のセキュリティカード１００が得られる（図６（ｆ））。
なお、カード有効領域Ｂの切り出しは、シート基材からカード用原版を剥離した後であれば実施のタイミングは問わない。
【００６３】
図７は本発明により得られるセキュリティカードの一例を示す概略平面図であり、図８は図７のＸ−Ｘ線断面図である。図７および図８中の符号は図６と同様であり、図７においてＸ方向を短尺方向、Ｙ方向を長尺方向およびカードの読み取り方向とする。
【００６４】
本発明によれば、カード用原版に貫通孔が設けられており、転写後にカード全体を冷却する際にシート基材が貫通孔において直接外気に触れるため、シート基材の熱を放熱し易くなる。これによりカード全体の冷却速度を速めることでき、冷却時間の短縮化が図れる。
また、カード用原版をシート基材上に押し当てる際に受ける空気の一部を上記貫通孔から脱気することができるため、転写時にかかる空気抵抗の軽減を図ることができる。これにより得られるレンチキュラーレンズシートにエア溜まりによる形状の不具合等が生じることを防止できる。
さらに、カード用原版が貫通孔を有することにより、シート基材はカード用原版と接していない領域を有することになるため、表面に光沢を有するカード用原版を用いる場合であっても冷却後にカード用原版を容易に離型することが可能となり、光沢面を有するセキュリティカードを製造することができる。
【００６５】
さらにまた、上述のカード用原版を用いることにより、寸法精度および配置精度の高いレンチキュラーレンズと、高い平滑性を有するシート平坦部とを有するセキュリティカードを一括で製造することができ、そのカード厚さを均一なものとすることができる。通常、ＩＣカードや各種証明カード等のセキュリティカードにおいては、その形状、大きさ等がＩＳＯ７８１６等での規格で規定され高い精度が求められるが、本発明により当該規格に対応可能なセキュリティカードを簡単に製造することができる。
転写工程において寸法精度および配置精度の高いレンチキュラーレンズが形成されるため、印字工程において画像部を形成する際に上記レンチキュラーレンズを構成する半円柱形レンズと平面視上に重なる位置に正確に印字することができ、上記レンチキュラーレンズを介して上記画像部を観察する際に、観察角度に応じて異なる画像部の情報を明瞭に表示することができる。
この様に、本発明により、寸法精度が高く、視認性に優れたセキュリティカードを容易に短時間で製造することが可能となる。
【００６６】
以下、本発明のセキュリティカードの製造方法の各工程について説明する。
【００６７】
１．転写工程
本発明における転写工程は、「Ａ．カード用原版」の項で説明したカード用原版を用い、カード基材の一方の表面に積層されたシート基材に上記カード用原版の平面部およびレンチキュラーレンズ形成部を有する面を押し当てて、シート平坦部と、ストライプ状に配置された複数の半円柱形レンズ、および隣り合う上記半円柱形レンズの間に形成されたレンズ間溝部を有するレンチキュラーレンズと、を少なくとも有するレンチキュラーレンズシートを形成する工程である。
【００６８】
（１）カード用原版
本工程において用いられるカード用原版は、上述した「Ａ．カード用原版」の項で説明したものと同様であるため、ここでの説明は省略する。なお、カード用原版の半円柱形レンズ転写部および隔壁部、ならびに平面部が、レンチキュラーレンズシート上の半円柱形レンズおよびレンズ間溝部、ならびにシート平坦部を形成する。
また、カード用原版の貫通孔が、シート基材上に貫通孔反転部を形成する。
【００６９】
（２）シート基材
本工程におけるシート基材の材料としては、カード用原版の転写面の形状に追従できる柔軟性を有するものが好ましく、中でも本工程を熱転写により行う場合は、加熱により軟化する材料、すなわち熱可塑性樹脂を用いることが好ましい。また、上記材料は透明性を有していてもよく有さなくてもよいが、有することが好ましい。
このような材料としては、ポリカーボネート、ポリ塩化ビニル、アクリル樹脂、ポリスチレン樹脂、ポリプロピレン樹脂、ポリエチレンテレフタレート、ポリアミド、ポリイミド、セルロースエステル、フッ化ポリマー、ポリアセタール、ポリオレフィン、アラミド、フッ素樹脂、ＡＢＳ（アクリロニトリル・ブタジエン・スチレン共重合体）、ＰＬＡ（ポリ乳酸）等を用いることができ、中でもポリカーボネートを用いることが好ましい。
【００７０】
上記シート基材の厚さとしては、目的とするレンチキュラーレンズシートの厚さをその範囲に含む５０μｍ〜１００μｍの範囲内であることが好ましく、中でも３０μｍ〜１５０μｍの範囲内であることが好ましく、特に５０μｍ〜１００μｍの範囲内であることが好ましい。シート基材の厚さが上記範囲よりも大きいと、画像部をレーザー照射等により形成する際に、レーザー光がカード基材の所望の位置まで届かず、画像部を形成することができない場合がある。また、規格により規定されるカード厚さを超えてしまう場合がある。一方、上記範囲よりも小さいと、転写の際にシート基材上にレンチキュラーレンズおよびシート平坦部を精度良く形成できない場合や、カードの強度が得られない場合がある。
【００７１】
また、上記シート基材の大きさとしては、目的とするレンチキュラーレンズシートの厚さをその範囲内に含む１０μｍ〜２００μｍの範囲内、中でも３０μｍ〜１５０μｍの範囲内、特に５０μｍ〜１００μｍの範囲内であることが好ましい。シート基材の厚さが上記範囲よりも大きいと、印字工程においてレーザー光がカード基材の所望の位置まで届かず画像部を形成できない場合がある。また、規格により規定されるカード厚さを超えてしまう場合がある。一方、上記範囲よりも小さいと、転写の際にシート基材上にレンチキュラーレンズおよびシート平坦部を精度良く形成できない場合や、カードの強度が得られない場合がある。
【００７２】
シート基材は、カード基材の一方の表面に積層されるものであるが、積層方法については特に限定されるものではない。シート基材およびカード基材を未接着で積層させる場合であっても、本工程を熱転写法により行うことで転写時の熱および圧力により接着させることができる。
【００７３】
（３）カード基材
本工程におけるカード基材の材料としては、一般的なセキュリティカード用のカード基材として用いられる樹脂材料を挙げることができる。なお、上記カード基材に用いられる材料は透明性を有するものであってもよく、有しないものであってもよい。
このような材料としては、例えば、ポリカーボネート、ポリエチレンテレフタレート（ＰＥＴ）、ポリ塩化ビニル（ＰＶＣ）、ポリエステル、ポリメタクリル酸メチル、ポリスチレン、アラミド、ポリイミド、ＡＢＳ（アクリロニトリル・ブタジエン・スチレン共重合体）、ＰＬＡ（ポリ乳酸）等を用いることができる。中でもポリカーボネートが好ましい。
【００７４】
また、カード基材は上記材料の他に発色材料を含むものである。レーザー照射等によりカード基材に画像部を形成することができるからである。発色材料としては、レーザー光を吸収する材料であればよく、例えば、カーボンブラック、チタンブラック、黒色酸化鉄、雲母等を用いることができ、中でもカーボンブラックが好ましい。
【００７５】
カード基材の厚さは、５０μｍ〜８００μｍの範囲内であることが好ましく、中でも３００μｍ〜７００μｍの範囲内であることが好ましい。カード基材の厚さが上記範囲よりも大きいと、規格により規定されるカード厚さを超えてしまう場合があり、一方、上記範囲よりも小さいと、カードの強度が得られない場合がある。
【００７６】
カード基材の大きさとしては、所望のセキュリティカードの大きさに応じて適宜選択することができ、少なくともシート基材以上の大きさであることが好ましく、中でもシート基材と同じ大きさであることが好ましい。
【００７７】
（４）転写工程
本工程における転写方法としては、シート基材の表面にシート平坦部およびレンチキュラーレンズを少なくとも有するレンチキュラーレンズシートを形成することが可能な方法であればよく、中でも熱転写法を用いることが好ましい。加熱によりシート基材が軟化し、上記カード用原版の転写面に追従させることができ、レンチキュラーレンズシートを精度良く形成することができるからである。熱転写法としては、一般的な方法を用いることができ、例えば図６で説明した方法がある。
【００７８】
本工程における加圧条件としては、カード用原版の転写面の形状を十分に転写可能な圧力であればよく、中でもカード用原版を押し当てる際に貫通孔が密閉される圧力であることが好ましい。貫通孔が十分に密閉されていない場合、加圧する際に上記貫通孔からシート基材の材料が流出する可能性があるからである。加圧の程度はシート基材の厚さ等に応じて適宜設定することができる。
【００７９】
また、本工程における加熱条件としては、カード用原版の転写面に追従できる程度にシート基材を十分に軟化させることが可能な温度であれば特に限定されるものではなく、シート基材の材料に応じて適宜設定されるものであり、例えば２００℃程度が好ましい。
さらに、加熱時間としては、加圧条件および加熱条件によって適宜設定されるものであり、例えば２０分程度であることが好ましい。
【００８０】
本工程では、熱転写後に冷却処理を行うことが好ましい。冷却処理を行うことでレンチキュラーレンズの変形を防ぎ、カード原版からカードが剥離しやすくなるからである。
冷却方法としては、シート基材およびカード基材、ならびにカード用原版の全体を冷却する方法が好ましく、例えば加熱炉内において放冷する方法、冷風を当て冷却する方法等を用いることができる。中でもカード用原版の貫通部に直接冷風を当てて冷却することが好ましい。貫通部において露出するシート基材の表面が冷却されることで、カード全体の冷却速度を速めることができるからである。
【００８１】
本工程における冷却時間としては、特に限定されるものではないが、短時間で急冷すると、シート基材とカード用原版との熱収縮率が異なるため、得られるレンチキュラーレンズシートが所望の形状とならない場合や、表面が平滑にならない場合がある。
【００８２】
カード用原版が平面部において文字図柄転写部を有する場合は、本工程によりシート平坦部を転写形成する際に、上記文字図柄転写部も転写されることで、文字図柄部を形成することができる。
【００８３】
（５）レンチキュラーレンズシート
本工程により、レンチキュラーレンズおよびシート平坦部を少なくとも有するレンチキュラーレンズシートが形成される。
【００８４】
（ａ）レンチキュラーレンズ
本工程により形成されるレンチキュラーレンズは、ストライプ状に配置された複数の半円柱形レンズ、および隣り合う上記半円柱形レンズの間に形成されたレンズ間溝部を有するものである。
【００８５】
（ｉ）半円柱形レンズ
本工程において形成される半円柱形レンズの形状は、カード用原版の半円柱形レンズ転写部の反転形状と同じ形状である。すなわち、形成される半円柱形レンズの幅、厚さ、曲率半径、およびピッチ幅は、半円柱形レンズ転写部の幅、深さ、曲率半径、およびピッチ幅と同様である。半円柱形レンズの上記寸法およびその他詳細については、「Ａ．カード用原版」の項で説明した内容と同様であるため、ここでの記載は省略する。
【００８６】
なお、半円柱形レンズの幅とは、図８においてＸ４で示される部分をいう。半円柱形レンズとレンズ間溝部とが連続した形状で半円柱形レンズを区分する位置が明確でない場合は、「Ａ．カード用原版」の項で説明した半円柱形レンズ転写部の幅の測定方法と同様の方法を用いて測定される。
また、半円柱形レンズの厚さとは、半円柱形レンズの最頂点からレンズ間溝部の最下点までの長さをいい、図８においてＴ３で示される部分をいう。半円柱形レンズの厚さは、後述するレンズ間溝部の深さと同等である。
半円柱形レンズの曲率半径とは、図８においてＲ３で示される部分をいい、ピッチ幅とは、隣接する半円柱形レンズの中心間距離（図８中のＸ５）をいう。
【００８７】
（ｉｉ）レンズ間溝部
本工程において形成されるレンズ間溝部は、カード用原版の隔壁部の反転形状と同じ形状である。
【００８８】
レンズ間溝部は、底幅が所望の範囲内となるように形成されることが好ましい。レンチキュラーレンズを介して画像部を視認する際に、上記画像部上に線状ノイズ等が出現することを抑制し、画像の表示が阻害されるのを防ぐことができるからである。
【００８９】
ここで、「画像部上に線状ノイズ等が出現」するとは、図１０（ｄ）で例示されるように、レンチキュラーレンズを介してセキュリティカード上の画像を目視する際に、半円柱形レンズの長手方向に従って線状に画像の薄い部分が線状ノイズＬとして生じる現象や、所望の角度において表示すべき画像の他に、上記画像の情報以外の画像が複数本の線状ノイズＬとして同時に表示される現象をいう。
【００９０】
このような現象が起こる要因としては、レンズ間溝部の底幅の大きさによるものと考えられる。所望の角度からセキュリティカードを視認する際、カード基材上の画像部はレンチキュラーレンズを介して視認される。しかし、レンズ間溝部の底幅が大きい場合、レンズ間溝部の表面の屈折率と上記レンズ間溝部の底幅との関係から、レンズ間溝部を介して上記画像部が形成されていない領域や、レンチキュラーレンズを介して視認させようとしている画像部以外の画像部領域（これらを、「非画像部領域」とする場合がある。）も視認することとなり、観察者は、レンチキュラーレンズを介して目視される画像部の像と、レンズ間溝部を介して目視される非画像部領域とを同時に視認することになる。
このとき、上記非画像部領域は上述のように表示される画像部上に線状ノイズ等として出現するため、視認される画像の形状等が損なわれ、画像全体として不鮮明なものとして認識されると推量される。
そこで、レンズ間溝部の底幅を小さいものとすることにより、レンズ間溝部の底幅に起因して、視認される画像上に線状ノイズ等が出現することを抑制することができる。
【００９１】
レンズ間溝部の底幅およびその測定方法については、「Ａ．カード用原版」の項で説明した隔壁部の頂部の幅およびその測定方法と同様であるため、ここでの説明は省略する。なお、レンズ間溝部の底幅とは、レンズ間溝部の短手方向の長さをいい、図８においてＸ６で示される部分である。
【００９２】
また、レンズ間溝部は、底部が曲率を有する形状となる事が好ましい。レンチキュラーレンズを介して画像部を視認する際に、視認される画像上に出現する線状ノイズ等をより目立たなくすることができ、視認性の阻害を抑制することができるからである。
レンズ間溝部の底部の曲率半径およびその測定方法については、「Ａ．カード用原版」の項で説明した隔壁部の頂部の曲率半径およびその測定方法と同様であるため、ここでの説明は省略する。なお、レンズ間溝部の底部の曲率半径とは、図８においてＲ４で示される部分である。
【００９３】
レンズ間溝部の深さは、半円柱形レンズの厚さと同じである。また、レンズ間溝部のその他詳細については、「Ａ．カード用原版」の項で説明した隔壁部と同様であるため、ここでの説明は省略する。
【００９４】
（ｉｉｉ）レンチキュラーレンズ
本工程において形成されるレンチキュラーレンズの厚さおよび曲率半径は、上述した半円柱形レンズの厚さおよび曲率半径に相当するため、ここでの説明は省略する。また、レンチキュラーレンズの大きさは、カード用原版のレンチキュラーレンズ形成部と同様であり、レンチキュラーレンズにおける半円柱形レンズの本数は、カード用原版における半円柱形レンズ転写部の本数により決まる。
【００９５】
（ｂ）シート平坦部
本工程により形成されるシート平坦部は、レンズキュラーレンズシート上の、少なくともレンチキュラーレンズが形成されていない領域である。
【００９６】
シート平坦部は文字図柄部を有していてもよい。レンチキュラーレンズを介して視認される画像部の情報とは異なる情報が転写されることにより、カードのセキュリティ性や意匠性を向上させることが可能となるからである。
なお、文字図柄部の詳細については、上述した「Ａ．カード用原版」の項で説明した文字図柄転写部と同様であるため、ここでの説明は省略する。
【００９７】
（ｃ）レンチキュラーレンズシート
本工程においては、図９で示すように、レンチキュラーレンズシート上に貫通孔反転部を有していてもよい。すなわち、図６（ｄ）で示すカード有効領域Ｂ内に、貫通孔反転部２８が形成されていてもよい。レンチキュラーレンズシート上に貫通孔反転部を有することで、得られるカードの表面において貫通孔反転部を模様や文字等として用いることができるからである。
【００９８】
貫通孔反転部の形状は、カード用原版における貫通孔の形状によるが、例えば、頂部に突起部を有する凸曲面形状とすることができる。具体的には、上述した「Ａ．カード用原版」の項で説明した内容と同様であるため、ここでの説明は省略する。
【００９９】
貫通孔反転部の高さとしては、通常、レンチキュラーレンズの厚さより大きく、カード用原版の厚さと同様である。なお、貫通孔反転部の高さとは、シート平坦部から貫通孔反転部の最頂部までの高さをいう。
また貫通孔反転部の形成位置としては、レンチキュラーレンズシート上であれば特に限定されるものではないが、通常、シート平坦部上に形成されるものである。
【０１００】
レンチキュラーレンズシートの厚さは、カード基材との貼り合せ面から上記貼り合せ面の反対面上にあるレンチキュラーレンズまたは貫通孔反転部の最頂点までの高さをいい、通常、シート基材の厚さと同様である。
【０１０１】
２．印字工程
本発明における印字工程は、半円柱形レンズを介してカード基材に異なる少なくとも２方向からレーザー光を照射して、半円柱形レンズと平面視上に重なるようにカード基材に画像部を形成する工程である。
なお、画像部とは、文字、図形、記号、絵柄等を有するものである。
【０１０２】
本工程において使用されるレーザー光の種類としては、発色材料により吸収されるものであればよく、例えばガスレーザー、ＹＡＧレーザー、半導体レーザー、ファイバーレーザー、面発光レーザー等の波長７００ｎｍ〜１３００ｎｍの範囲内の赤外線を発する光源を挙げることができる。なお、レーザー光の照射角度や照射時間等の条件については、所望の画像部が描画できるものであれば特に限定されるものではない。
また、レーザー光は、カード基材上の所望の位置に異なる少なくとも２方向から照射されればよく、方向等については一般的なレーザー照射法と同様とすることができる。
【０１０３】
本工程において画像部が形成される位置としては、半円柱形レンズと平面視上に重なる場所であれば特に限定されるものではない。このような位置としては、通常、シート基材と接するカード基材面上であるが、上記シート基材と接する面と反対面上であってもよく、カード基材の内部に形成されてもよい。
画像部の大きさとしては、半円柱形レンズに覆われた領域を超えない大きさであることが好ましい。さらに、当該レンチキュラーレンズの下に位置する画像部は、通常２種類の異なる画像情報で構成されるが、２種類以上有していてもよい。
【０１０４】
３．その他の工程
本発明のセキュリティカードの製造方法は、上述した印字工程の他にも、必要に応じてその他の工程を有していてもよい。例えば、少なくともシート基材からカード原版を離型した後に、カード有効領域を切り出す切り出し工程等がある。
【０１０５】
４．セキュリティカード
本発明により得られるセキュリティカードは、図７および図８で示すように、画像部を有するカード基材、および、上記カード基材の一方の表面に配置されるレンチキュラーレンズシートを有し、上記レンチキュラーレンズシートが、ストライプ状に配置された複数の半円柱形レンズおよびレンズ間溝部を有するレンジキュラーレンズと、シート平坦部とを少なくとも有し、上記半円柱形レンズと上記画像部とが平面視上に重なって配置されるものである。当該セキュリティカードは、観察角度に応じてレンチキュラーレンズを介して視認される画像部が異なるものである。
また、上記セキュリティカードは、図９で示すようにレンチキュラーレンズシート上に貫通孔反転部を有していてもよい。
なお、セキュリティカードの各部位については、上述した各工程で説明したものと同様であるため、ここでの説明は省略する。
【０１０６】
ここで、「観察角度によって視認される画像部が異なる」とは、図１０に示すように、一方の観察角度Ｅ１においては複数本の半円柱形レンズ２３およびレンズ間溝部２４を有するレンチキュラーレンズ２５を介してカード基材２１上の画像部２７ａの情報（図１０（ｂ））のみを画像として視認することができ、別の観察角度Ｅ２においては、レンチキュラーレンズ２５を介してカード基材２１上の画像部２７ｂの情報（図１０（ｃ））のみを画像として視認することをいう。
【０１０７】
また、本発明により得られるセキュリティカードは、カード基材およびレンチキュラーレンズシートの他に、必要に応じて磁気シート、染料インク印刷層、顔料インク印刷層、ＩＣチップ、透明カバー層等を有していてもよい。
【０１０８】
本発明により得られるセキュリティカードにおいて、レンチキュラーレンズにおける半円柱形レンズの長手方向は、セキュリティカードの長手方向、すなわちカードリーダーに通して磁気情報を読み取る方向と同じ方向であることが好ましい。カードをカードリーダーに通す際に、レンチキュラーレンズの部分が障害となりカードリーダーに通すことができず、磁気情報が読み取れない場合があるからである。
【０１０９】
本発明により得られるセキュリティカードにおいて、レンチキュラーレンズの占める割合としては、カード全体の大きさ、カード基材上の画像部の大きさ等によって適宜設定されるものであるが、セキュリティカードの全体面積１００％に対し１％〜３０％程度が好ましい。
【０１１０】
本発明により得られるセキュリティカードの用途としては、視認性および偽造防止性が求められる分野に用いることが可能であり、例えば、クレジットカード等の個人情報管理カード、ＩＣカード、各種証明カード、政府文書等の機密性を要する情報媒体に用いることが可能である。
【０１１１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１１２】
以下に実施例を示して、本発明をさらに具体的に説明する。
【０１１３】
［実施例１］
（カード用原版の製造）
＜レジスト層形成工程＞
カード用原版に使用する金属基板として、板厚０．５ｍｍ、３００ｍｍ角サイズの圧延材料であるＳＵＳ３０４材を準備した。上記金属基板の一方の表面を、アルカリ脱脂（ＮａＯＨ水溶液５％、６０℃）、硫酸電解（硫酸水溶液５％、常温、電流密度ｄｋ＝３）、塩酸ディップ（塩酸水溶液１０％、常温）により整面処理を行った。
次に、整面処理を行った金属基板の表面に、ドライフィルムレジストを使用し、ラミネーターにてラミネートを行い、１５μｍ〜２５μｍ程度の厚さを有するフォトレジスト層を形成した。次に、平行光露光機を使い、マスクを介して紫外線照射によるパターン露光を行った後、３０℃の１％炭酸ナトリウム水溶液で現像し、フォトレジスト層をパターン形成した。
フォトレジスト層のパターンについては、上述した金属基板のサイズ内でレンチキュラーレンズを形成するために、金属基板上のカード１枚当たりの有効領域を８５ｍｍ×５０ｍｍ程度とし、上記有効領域内に縦および横のサイズが各々２０ｍｍ程度の矩形のレンチキュラーレンズ形成部が配置され、上記カード有効領域外に貫通孔が配置されるパターンとした。なお、上記レンチキュラーレンズ形成部の配置位置は、得られるカードの左下部とした。
【０１１４】
＜エッチング工程＞
パターン形成されたフォトレジスト層を介してエッチングを行うことにより、金属基板上の８５ｍｍ×５０ｍｍ程度の有効領域内に半円柱形レンズ転写部および隔壁部を有するレンチキュラーレンズ形成部および平面部の形状を得た。また、各有効領域外に直径７ｍｍの貫通孔が形成されことにより、複数枚の本発明のカード用原版を得た。
【０１１５】
＜検証＞
上記マスクによるレンチキュラーレンズ形成部の設計については、上述のようにコーティングされたレジスト層の解像度およびエッチング条件等に依存するため、マスクのパターンのみではレンズ形状は決まらない。このため、最終的に得られたエッチング後の形状で、マスクのパターン形状およびエッチング条件の検証を行った。
エッチング後の形状としては、隔壁部の頂部の幅、半円柱形レンズ転写部の幅、深さ、ピッチ幅および底部の曲率半径の大きさが、加工形状として主に制御できるものと想定して加工した。 
検証の結果、上記隔壁部の頂部の幅１５μｍ〜３５μｍの範囲内に対して、５μｍごとに段階的に変えた形状が得られた。また、その他の直線状凹部曲面部の形状については、浸漬時間やスプレー噴射圧力などのエッチング条件によって、１０μｍごとに段階的に変えた形状が得られた。
【０１１６】
［比較例１］
金属基板上に貫通孔を形成しなかったこと以外は、実施例１と同様にしてカード用原版を得た。
【０１１７】
［実施例２］
（セキュリティカードの製造）
＜転写工程＞
カーボンブラックを含有したカード基材（厚さ５０μｍ〜１００μｍ）と、ポリカーボネートを主成分としたシート基材（厚さ５０μｍ〜１００μｍ）との積層体を予め準備した。
実施例１により得られたカード用原版を平板プレス機に装着し、当該積層体に対して２００℃で２０分、１ｋｇ／ｃｍ２でプレスを行った。シート基材が硬化する温度となるまでに要した時間は１５分だった。
冷却後、平面プレス機を開放し、上記シート基材からカード用原版を離脱させた。この実施により、シート基材上にカード用原版表面の凹凸形状が転写され、シート平坦部およびレンチキュラーレンズを有し、上記レンチキュラーレンズが、ストライプ状に配置された複数の半円柱形レンズおよびレンズ間溝部を有するレンチキュラーレンズシートを得た。
【０１１８】
＜印字工程＞
続いて、レンチキュラーレンズシート上において、レンチキュラーレンズを構成する半円柱形レンズに対してＹＡＧレーザー照射を行い、画像部の印字を行った。この実施により、カード基材上に画像部が形成され、観察角度に応じて上記画像部の視認画像が異なる目的のセキュリティカードを得た。
【０１１９】
［比較例２］
比較例１のカード用原版を用いたこと以外は、実施例２と同様にしてセキュリティカードを製造した。しかし、転写工程において実施例２と同条件でプレスを行った後、シート基材が硬化する温度となるまでに要した時間は３０分だった。
【０１２０】
［結果］
実施例２および比較例２の転写工程における冷却時間の差から、貫通孔を有するカード用原版は、冷却効果があり製造時間の短縮が可能であることが明らかとなった。
【符号の説明】
【０１２１】
１  …  金属基板
２、２ａ、２ｂ、２ｃ  …  貫通孔
３、３ａ、３ｂ、３ｃ  …  レンチキュラーレンズ形成部
４  …  半円柱形レンズ転写部
５  …  隔壁部
６、６ａ、６ｂ、６ｃ  …  平面部 
１０  …  セキュリティカード用転写原版（カード用原版）
２１  …  カード基材
２２  …  レンチキュラーレンズシート
２３  …  半円柱形レンズ
２４  …  レンズ間溝部
２５  …  レンチキュラーレンズ
２６  …  シート平坦部
２７  …  画像部
１００  …  セキュリティカード
Ａ  …  カード表面に転写される領域（有効転写領域）
【図１】
2015063035.tif 000003
【図２】
2015063035.tif 000004
【図３】
2015063035.tif 000005
【図４】
2015063035.tif 000006
【図５】
2015063035.tif 000007
【図６】
2015063035.tif 000008
【図７】
2015063035.tif 000009
【図８】
2015063035.tif 000010
【図９】
2015063035.tif 000011
【図１０】
2015063035.tif 000012